(57)【要約】【課題】陰圧源及び陽圧源を個別に設けることなく、陽圧及び陰圧の切り替え使用が可能なクリーンブースを提供する。【解決手段】クリーンブースは、空気ユニット装置、包囲体及び該包囲体を支持するフレーム組立体を備える。空気ユニット装置は、直立する両面を有するハウジングと、該ハウジングの両面の一方に形成された吸込開口及び他方に形成された吹出開口と、ハウジング内で両開口を連通する空気通路と、該空気通路に設けられ、該空気通路に沿って吸込開口から吹出開口へ向けての空気流を生成するための送風源及び吸込開口からの空気を浄化するためのフィルタとを備える。包囲体は天井面部及び周壁面部を有し内方にブース室を形成し、前記周壁面部はハウジングの両面のいずれか一方の面と共同してブース室の周壁を構成する。フレーム組立体は、包囲体をハウジングの両面のいずれか一方の側で選択的に設置可能に支持する。【選択図】図１
2010255902.tif 000002
【特許請求の範囲】
【請求項１】
互いに対向し直立する両面及び該両面間の頂面を有するハウジングと、該ハウジングの前記両面の一方に形成された空気を吸い込むための吸込開口及び前記両面の他方に形成された空気を吹き出すための吹出開口と、前記ハウジング内で前記両開口を連通する空気通路と、該空気通路に配置され、該空気通路に沿って前記吸込開口から前記吹出開口へ向けての空気流を生成するための送風源及び前記吸込開口からの空気を浄化するためのフィルタとを備える空気ユニット装置と、
天井面部及び周壁面部を有し内方にブース室を形成する包囲体であって前記周壁面部は前記ハウジングの両面のいずれか一方の面と共同して前記ブース室の周壁を構成する包囲体と、
該包囲体を前記ハウジングの両面のいずれか一方の側で選択的に設置可能に支持するフレーム組立体とを含む、クリーンブース。
【請求項２】
前記フレーム組立体は、互いに間隔をおく基部と、該各基部から立ち上がる一対の柱部と、該柱部の頂部で前記基部の上方を該基部とほぼ平行に張り出す天井部とを備え、該天井部に前記包囲体の前記天井面部が対応するように前記包囲体を支持し、前記一対の柱部は前記空気ユニット装置の前記ハウジングの前記両面のうちのいずれか一方の面の側で前記空気ユニット装置に取り外し可能に設置される、請求項１に記載のクリーンブース。
【請求項３】
前記フレーム組立体の前記天井部は、前記柱部に向けて折り畳み可能となるように、前記柱部の側で該柱部に枢着されており、前記天井部と前記各柱部との間には、前記天井部の折り畳みを許す方向へ折り畳み可能に相互に連結された２つのリンク部材からなる斜めの補強リンクが設けられている、請求項２に記載のクリーンブース。
【請求項４】
前記包囲体の前記周壁面部は、前記空気ユニットの前記ハウジングの両面の一方を受け入れる開口部を形成すべく前記一対の柱部間で開放されている、請求項３に記載のクリーンブース。
【請求項５】
前記フレーム組立体の前記天井部は、一対の横フレーム部材及び一対の側方フレーム部材からなり、一方の前記横フレーム部材の側で水平軸を介して前記柱部に枢動可能に枢着されており、前記包囲体の前記天井面部は、前記天井部に沿って配置され、前記一方または他方の横フレーム部材のいずれか一方に巻取上げ可能な膜体からなり、前記包囲体の前記周壁面部は、前記両側方フレーム部材から吊り下げられた巻き上げ可能な膜体と、前記他方の横フレーム部材から吊り下げられた巻き上げ可能な膜体とを含む、請求項５４に記載のクリーンブース。
【請求項６】
前記包囲体及び前記フレーム組立体のそれぞれは、前記空気ユニット装置の前記ハウジングの両面の側に対をなして設置されており、一対のいずれか一方の前記フレーム組立体及び該フレーム組立体に支持された前記包囲体を折り畳み、他方の前記フレーム組立体及び該フレーム組立体に支持された前記包囲体の展開によって前記空気ユニット装置の前記両面のいずれか一方の側に前記ブース室が構成される、請求項４に記載のクリーンブース。
【請求項７】
前記フレーム組立体は、前記ハウジングの前記頂面上で前記ハウジングの両面の一方の側に張り出す第１の張出位置と前記ハウジングの両面の他方の側に張り出す第２の張出位置との間で移動可能に支持された矩形フレーム体であって前記ハウジングの前記両面に直角な方向へ伸張する一対の側方フレーム部材と該両側方フレーム部材を連結する一対の横フレーム部材とを備える矩形フレーム体を含み、前記包囲体の前記天井面部は前記矩形フレーム体に沿ってその矩形平面を被うように配置され、前記包囲体の前記周壁面部は前記矩形フレームの前記フレーム部材から吊り下げられた膜体からなる、請求項１に記載のクリーンブース。
【請求項８】
前記矩形フレーム体は、前記ハウジングの前記頂面に沿って設けられたレール上を前記第１及び第２の両張出位置間で移動可能である、請求項７に記載のクリーンブース。
【請求項９】
前記膜体は、前記矩形フレームの前記各フレーム部材に巻き上げ可能に吊り下げられ、前記矩形フレーム体が前記第１又は第２の張出位置にあるとき、前記ユニット装置から見て近位端側に位置する一方の前記横フレーム部材に吊り下げられた前記膜体は、巻き上げ状態で保持されている、請求項８に記載のクリーンブース。
【請求項１０】
前記フレーム組立体は、さらに、一対の基部、該各基部から立ち上がる柱部及び該柱部により支持され前記ハウジングの前記頂面上に配置される天板を含み、該天板に前記レールが対をなして支持されている、請求項１１に記載のクリーンブース。
【請求項１１】
前記矩形フレーム体は、前記ハウジングの前記頂面の中央部に配置された垂直な枢軸を介して該頂面上の水平面で回転可能に、一方の前記横フレーム部材の側で支持されており、前記包囲体の前記周壁面部は、少なくとも、前記一方の横フレーム部材を除く他のフレーム部材のそれぞれから吊り下げられた膜体で構成されており、
前記膜体は、前記矩形フレームの対応する前記各フレーム部材に巻き上げ可能に吊り下げられており、
前記フレーム組立体は、さらに、一対の基部、該各基部から立ち上がる柱部及び該柱部により支持され前記ハウジングの前記頂面上に配置される天板を含み、該天板に前記垂直な枢軸が支持されている、請求項７に記載のクリーンブース。
【発明の詳細な説明】
【技術分野】
【０００１】
本発明は、医療機関、介護福祉施設及び歯科診療施設等に設置されるクリーンブースに関し、特に、感染した又は感染が疑われる患者から放出される浮遊結核菌や浮遊ウイルスのような浮遊微生物による院内感染の防止を目的として感染症患者を収容する陰圧ブースと、花粉症のようなアレルギー症状の患者を浄化環境下に置くことを目的として患者を収容する陽圧ブースとを選択して使用できるクリーンブースに関する。
【背景技術】
【０００２】
保菌患者を収容する病室用空調システムが提案されている（例えば、非特許文献１参照）。前記病室用空調システムは、ベッド全体を取り巻く例えばビニールからなる包囲体と、該包囲体内に陰圧を作用させるファン装置のような陰圧源とを備え、前記包囲体内が陰圧ブース室として使用される。前記陰圧ブース室のベッドに横たわった患者から放出される浮遊菌や浮遊ウイルスのような浮遊微生物は、前記ファン装置に組み込まれたＨＥＰＡフィルタに捕獲されるので、これら浮遊微生物による院内感染を防止することができる。
【０００３】
また、このような病室空調システムのブース室に陰圧を作用することに代えて、該ブース室に浄化空気を供給することにより、ブース室を陽圧ブースとして使用することが考えられる。この陽圧ブースは、例えば花粉症のようなアレルギー症状の患者を収容するクリーンブースとして使用することができる。しかしながら、その場合、前記病室用空調システムに、前記した陰圧源に代えて、前記包囲体内に浄化した空気を供給する陽圧源を組み込む必要がある。
【０００４】
そのため、従来の前記空調システムでは、陽圧ブース及び陰圧ブースの切り替え使用を可能とするためには、陰圧源及び陽圧源がそれぞれ個別に必要となるので、構成要素の増加から、構成が複雑となり、高価になるという欠点がある。
【先行技術文献】
【非特許文献】
【０００５】
【非特許文献１】「ベッドアイソレータ  LI−３５」、カタログ、パンデミック対策資料ダウンロード[online] ２００８年８月２９日、株式会社アイソテック、[平成21年3月19日検索]、インターネット〈http://www.iiso.co.jp/download_top.htm〉
【発明の概要】
【発明が解決しようとする課題】
【０００６】
そこで、本発明の目的は、陰圧源及び陽圧源をそれぞれ個別に設けることなく、単一の空気源を用いて、陽圧ブース及び陰圧ブースの切り替え使用が可能なクリーンブースを提供することにある。
【課題を解決するための手段】
【０００７】
本発明に係るクリーンブースは、空気ユニット装置と、包囲体と、フレーム組立体とを含む。前記空気ユニット装置は、互いに対向し直立する両面及び該両面間の頂面を有するハウジングと、該ハウジングの前記両面の一方に形成された空気を吸い込むための吸込開口及び前記両面の他方に形成された空気を吹き出すための吹出開口と、前記ハウジング内で前記両開口を連通する空気通路と、該空気通路に設けられ、前記空気通路に沿って前記吸込開口から前記吹出開口へ向けての空気流を生成するための送風源及び前記吸込開口からの空気を浄化するためのフィルタとを備える。前記包囲体は、天井面部及び周壁面部を有し内方にブース室を形成し、前記周壁面部は前記ハウジングの両面のいずれか一方の面と共同して前記ブース室の周壁を構成する。また前記フレーム組立体は、前記包囲体を前記ハウジングの両面のいずれか一方の側で選択的に設置可能に支持する。
【０００８】
本発明に係る前記クリーンブースでは、前記フレーム組立体に支持された前記包囲体は、該包囲体の周壁面部が前記空気ユニット装置の前記両面のいずれか一方の面と共同して前記ブース室の周壁を構成するように、前記フレーム組立体と共に前記空気ユニットに設置される。これにより、前記ブース室内に前記空気ユニットの前記吸入開口及び前記吹出開口を選択的に露出させることができる。前記ブース室内に前記吸込開口を露出させることにより、前記ブース室を陰圧室として使用することができる。他方、前記ブース室内に前記吹出開口を露出させることにより、前記ブース室を陽圧室として使用することができる。
【０００９】
したがって、前記包囲体が設けられた単一のフレーム組立体を用いた場合、陽圧ブース及び陰圧ブースでの使用に応じて、この包囲体が設けられた単一のフレーム組立体を前記空気ユニットの前記ハウジングの両面のいずれか一方の側に選択的に設置することにより、陽圧ブース又は陰圧ブースを構成することができる。また、この包囲体が設けられた単一のフレーム組立体の設置位置を前記ハウジングの両面の一方の側から他方の側へ変えることより、陽圧ブース及び陰圧ブースの切り替えを行うことができる。
【００１０】
前記フレーム組立体は、互いに間隔をおく基部と、該各基部から立ち上がる一対の柱部と、該柱部の頂部で前記基部の上方を該基部とほぼ平行に張り出す天井部とで構成することができる。前記天井部には前記包囲体の前記天井面部が対応するように、前記包囲体が前記フレーム組立体により支持される。前記一対の柱部は前記空気ユニット装置の前記ハウジングの前記両面のうちのいずれか一方の面の側で前記空気ユニット装置に取り外し可能に設置することができる。前記フレーム組立体と前記空気ユニット装置の前記ハウジングとの間は、パッキング部材のような封止部材あるいは面ファスナのような結合手段を用いて封止することが望ましい。
【００１１】
前記フレーム組立体の前記天井部は、前記柱部に向けて折り畳み可能となるように、前記柱部の近位端側で該柱部に枢着することができる。これにより、前記クリーンブースの不使用時に前記包囲体が設けられた前記フレーム組立体を折り畳むことができ、前記ブースのコンパクトな収納が可能になる。また、前記天井部と前記各柱部との間に、前記天井部の折り畳みを許す方向へ折り畳み可能に相互に連結された２つのリンク部材からなる斜めの補強リンクを設けることにより、収納時のコンパクト化を妨げることなく、使用時での前記フレーム組立体の強度を高めることができる。
【００１２】
前記天井部の前記柱部の側と反対側である前記天井部の先端部側に、該先端部を支持する折り畳み可能な補助脚を設けることにより、前記フレーム組立体の一層の強度増加を図ることができる。
【００１３】
前記包囲体の前記周壁面部は、前記空気ユニットの前記ハウジングの両面の一方を受け入れる開口部を形成すべく前記一対の柱部間で開放させることができる。これにより、前記ブースの周壁のうち、前記周壁面部の前記開口部は、前記空気ユニットの前記ハウジングの前記両面のいずれか一方の面で閉鎖されることから、該面は前記周壁面部と共同して前記周壁を構成する。
【００１４】
前記フレーム組立体の前記天井部は、一対の横フレーム部材及び前記一対の側方フレーム部材で構成することができ、一方の前記横フレーム部材の側で水平軸を介して前記柱部に枢動可能に枢着することができる。前記包囲体の前記天井面部は、前記天井部に沿って配置される。この包囲体の天井面部は、前記一方または他方の横フレーム部材のいずれか一方に巻取上げ可能な膜体で構成することができる。また、前記包囲体の前記周壁面部は、前記両側方フレーム部材から吊り下げられた巻き上げ可能な膜体と、前記他方の横フレーム部材から吊り下げられた巻き上げ可能な膜体とで構成することができる。このように、前記包囲体を前記フレーム部材に巻き上げ可能な膜体で構成することにより、前記包囲体が設けられた前記フレーム組立体の折り畳みが容易に行える。
【００１５】
前記他方の横フレーム部材に吊り下げられる前記膜体は、該膜体を隔てて患者と向き合う医師の診療の妨げとならないように、前記クリーンブースが設置される室内の床から所定の間隔をおくことができる。この膜体は、後述するように、互いに向き合った医師と患者との間に介在することにより、患者の咳やくしゃみに伴って放出される浮遊微生物が医師の口元に到達すること遮断する作用をなす。
【００１６】
前記包囲体及び前記フレーム組立体のそれぞれは、前記空気ユニット装置の前記ハウジングの両面の側に対をなして設置することができる。この場合、いずれか一方の前記フレーム組立体及び該フレーム組立体に設けられた前記包囲体は折り畳まれ、他方の前記フレーム組立体及び該フレーム組立体に設けられた前記包囲体の展開によって前記空気ユニット装置の前記両面のいずれか一方の側に前記ブース室が構成される。この構成を採用することにより、それぞれに前記包囲体が設けられた両フレーム組立体の一方の展開又は折り畳み、及び他方の折り畳み又は展開によって、陽圧ブース及び陰圧ブースを切り替えて使用することができる。
【００１７】
前記フレーム組立体として、前記ハウジングの前記頂面上で前記ハウジングの両面の一方の側に張り出す第１の張出位置と前記ハウジングの両面の他方の側に張り出す第２の張出位置との間で移動可能に支持された矩形フレーム体を用いることができる。この矩形フレーム体は、前記ハウジングの前記両面に直角な方向へ伸張する一対の側方フレーム部材と該両側方フレーム部材を連結する一対の横フレーム部材とで構成することができる。前記包囲体の前記天井面部は前記矩形フレーム体に沿ってその矩形平面を被うように配置され、前記包囲体の前記周壁面部は前記矩形フレームの前記フレーム部材から吊り下げられた膜体で構成することができる。
【００１８】
前記矩形フレーム体は、前記ハウジングの前記頂面に沿って設けられたレール上を前記第１及び第２の両張出位置間で移動可能とすることができ、この例では、前記矩形フレーム体は、前記レールに沿った滑動により、前記第１及び第２の両張出位置を選択することができる。
【００１９】
前記した滑動可能な矩形フレーム体を用いた場合、前記膜体は、前記矩形フレームの前記各フレーム部材に巻き上げ可能に吊り下げられた膜体で構成することができる。前記矩形フレーム体が前記第１又は第２の張出位置にあるとき、前記ユニット装置から見て近位端側に位置する一方の前記横フレーム部材に吊り下げられた前記膜体は、巻き上げ状態で保持される。この巻き上げにより、前記空気ユニット装置の前記吹出開口又は吸込開口が前記一方の前記横フレーム部材に吊り下げられた前記膜体によって閉鎖されることはなく、前記空気ユニット装置の機能が妨げられることはない。
【００２０】
前記フレーム組立体は、さらに、一対の基部、該各基部から立ち上がる柱部及び該柱部により支持され前記ハウジングの前記頂面上に配置される天板を含むことができ、前記レールを前記天板に対をなして支持することができる。この一対のレールにより、前記包囲体が設けられた前記矩形フレーム体を前記第１及び第２の張出位置間で安定して滑動させかつ両張出位置のそれぞれで安定して支持することができる。
【００２１】
また、前記レールを前記空気ユニット装置の前記ハウジングの頂面に直接的に支持するこができる。しかしながら、前記したように前記フレーム組立体の前記天板にレールを支持することにより、前記フレーム組立体と前記空気ユニット装置とを結合することなく相互に分離しておくことができるので、前記天板を用いることが、クリーンブースの搬送及びメンテナンス上、有利である。
【００２２】
前記矩形フレーム体は、滑動可能に支持することに代えて、前記ハウジングの前記頂面の中央部に配置された垂直な枢軸を介して該頂面上の水平面で前記第１及び第２の張出位置間で回転可能に支持することができる。この場合、前記矩形フレーム体は一方の前記横フレーム部材の側で前記頂面に支持され、前記包囲体の前記周壁面部は、少なくとも、前記一方の横フレーム部材を除く他のフレーム部材のそれぞれから吊り下げられた膜体で構成される。
【００２３】
前記矩形フレーム体の前記空気ユニット装置から見て常に近位端側に位置する前記一方の横フレーム部材にも前記したような膜体を設けることができる。しかし、前記近位端側に位置する前記一方の横フレーム部材に設けられる膜体は、該膜体が前記矩形フレーム体の回転操作に応じて前記空気ユニット装置の前記吸込開口及び前記吹出開口を閉鎖しないように、前記クリーンブースの使用時では、常時巻取状態に保持される。
【００２４】
前記膜体は、滑動可能な矩形フレームの例におけると同様に、該矩形フレームの対応する前記各フレーム部材に巻き上げ可能に吊り下げることができる。
【００２５】
また、回転可能な矩形フレーム体の場合も、一対の基部、該各基部から立ち上がる柱部及び該柱部により支持され前記ハウジングの前記頂面上に配置される天板を設け、該天板に前記垂直な枢軸を支持することができる。この例でも、滑動可能な矩形フレームを用いた例におけると同様に、前記天板を用いることが、クリーンブースの搬送及びメンテナンス上、有利である。
【発明の効果】
【００２６】
本発明によれば、前記したように、包囲体が設けられたフレーム組立体の設置位置を空気ユニット装置の吸入開口及び吹出開口の両側の間で選択することにより、単一の空気源を用いて陽圧ブース及び陰圧ブースの切り替えを行うことができる。
【図面の簡単な説明】
【００２７】
【図１】本発明に係る陽圧クリーンブースを概略的に示す斜視図であり、
【図２】図１に示したクリーンブースの一部を破断して概略的に示す側面図であり、
【図３】図１に示したクリーンブースのフレーム組立体を示す概略図であり、（ａ）はその展開状態（使用状態）で示す概略的な斜視図であり、（ｂ）は折り畳み状態で示す側面図であり、
【図４】図３（ａ）に示したフレーム組立体を巻き取られた状態の包囲体と共に示す斜視図であり、
【図５】本発明に係る包囲体の他の巻取例を示す図４と同様な図面であり、
【図６】本発明に係るフレーム組立体の他の実施例を示し、（ａ）はその展開状態（使用状態）で示す概略的な斜視図であり、（ｂ）は折り畳み状態で示す側面図であり、
【図７】図６に示したクレーム組立体を包囲体と共に示し、（ａ）には包囲体が展開状態で示され、（ｂ）には包囲体が巻取状態で示され、
【図８】本発明のさらに他の例を示す図７と同様な図面であり、（ａ）には包囲体が展開状態で示され、（ｂ）には包囲体が巻取状態で示され、
【図９】本発明に係る陰圧ブースを概略的に示す図１と同様な図面であり、
【図１０】本発明に係るさらに他のクリーンブースを示し、それぞれに包囲体が設けられた一対のフレーム組立体が組み込まれ、それらの一方が選択的に使用される例を示し、
【図１１】図１０に示したクリーンブースの一部を破断してさらに他の使用例を概略的に示す側面であり、
【図１２】陽圧ブースの使用例を示す図２と同様な概略図であり、
【図１３】陰圧ブースの使用例を示す図９と同様な概略図であり、
【図１４】本発明に係る陰圧ブースのさらに他の実施例を示し、（ａ）は斜視図であり、（ｂ）は一部を破断して示す側面図であり、
【図１５】本発明に係る陰圧ブースのさらに他の実施例を示す図１４と同様な図面であり、（ａ）は斜視図であり、（ｂ）は一部を破断して示す側面図であり、
【図１６】本発明に係るさらに他の実施例を概略的に示す斜視図であり、
【図１７】図１６に示された線XVII-XVIIに沿って得られた部分的な断面図であり、
【図１８】図１７に示された部材のうち、レールを示す斜視図であり、
【図１９】図１８に示されたレールによって案内されるフレーム組立体の側方フレームを示し、
【図２０】本発明に係るさらに他の実施例を概略的に示す図面であり、（ａ）は斜視図であり、（ｂ）は（ａ）に示した実施例の一部を破断して示す側面図である。
【発明を実施するための形態】
【００２８】
本発明に係るクリーンブース１０は、図１及び図２に示されているように、空気ユニット装置１２と、該空気ユニット装置に関連して設けられる包囲体１４と、該包囲体を空気ユニット装置１２に関連して設置するためのフレーム組立体１６とを含む。
【００２９】
空気ユニット装置１２は、図２に断面図で明確に示されているように、クリーンブース１０が設置される室内１８の床１８ａ上に配置されるハウジング２０と、該ハウジング内に配置されるフィルタ２２（２２ａ、２２ｂ）と、送風源２４（２４ａ、２４ｂ）とを備える。
【００３０】
ハウジング２０は、床１８ａ上に配置される全体に矩形の筐体からなり、矩形の底面２０ａ、該底面の一対の短辺から直角に立ち上がる一対の側面２０ｂ、２０ｂ、該一対の側面の頂部に連続して底面２０ａに平行な頂面２０ｃ、及び底面２０ａの一対の長辺から直角に立ち上がる矩形の他の一対の側面（直立面）２０ｄ、２０ｅとを備える。一方の直立面２０ｄの上部には、開口２６ａが形成されている。また、他方の直立面２０ｅの下部には、開口２６ｂが形成されている。
【００３１】
フィルタ２２は、図示の例では、開口２６ａを覆って配置される主フィルタ２２ａと、開口２６ｂを覆って配置される例えば補助フィルタ２２ｂとの組合せからなる。主フィルタとして、望ましくは用途に応じて、例えば浮遊微生物の捕獲にはULPAフィルタ、ＨＥＰＡフィルタが、また杉花粉のような浮遊物の捕獲には、中・高性能フィルタが適宜選択して使用される。補助フィルタ２２ｂとして粗塵フィルタを用いることができる。補助フィルタ２２ｂを不要とすることができるが、主フィルタ２２ａの目詰まりを防止し、主フィルタ２２ａの長寿命化を図る上で、補助フィルタ２２ｂを用いることが望ましい。
【００３２】
ハウジング２０の上部に設けられた主フィルタ２２ａとハウジング２０の下部に設けられた補助フィルタ２２ｂとの間には、ハウジング２０の上下方向へ空気通路が形成される。送風源２４は、この空気通路に沿った空気流を生成すべく前記ハウジング２０の中央部に配置されている。送風源２４は、ハウジング２０内の下部に設けられた開口２６ｂから上部の開口２６ａへ向けての空気流を生成するためのファン２４ａと、該ファンを一方向に駆動回転する電気モータのような駆動源２４ｂとからなる。
【００３３】
この送風源２４の駆動により、開口２６ｂが吸入開口として作用し、室内１８から吸入された空気は、補助フィルタ２２ｂ及び主フィルタ２２ａを経た吸入空気が開口２６ａから吹き出されるので、該開口は吹出開口として作用する。
【００３４】
なお、吸入開口２６ｂに取り付けた補助フィルタ２２ｂのすぐ下流側に主フィルタ２２ａを隣接して取り付け、吹出開口２６ａに主フィルタ２２ａを取り付けずに、代わりにパンチングメタルのような多孔板を取り付けることができる。この実施例の利点は、主フィルタ２２ａの下流側には浮遊微生物が除去された清浄空気が絶えず流れ、そのため送風源２４やその周囲の空気ユニット装置１２のハウジング２０の内部がこれら微生物で汚染されないことから、クリーンブースメンテナンスの際、例えば補助フィルタ２２ｂ及び主フィルタ２２ａの目詰まりによる交換時に、これらフィルタ類のみの消毒又は滅菌作業を行うだけで良く、送風源２４やその周囲のハウジング内部の消毒又は滅菌作業を不要とすることができるので、便利な点である。
【００３５】
フレーム組立体１６は、図１ないし図３に示されているように、空気ユニット装置１２の直立面２０ｄ又は２０ｅの両側に沿って配置可能な一対の基部１６ａ、１６ａと、該基部の一端から直立面２０ｄ又は２０ｅの両側に沿って立ち上がる一対の柱部１６ｂ、１６ｂと、該両柱部間で一対の枢軸２８を介して一対の柱部１６ｂ、１６ｂに枢着された矩形の天井部１６ｃとを備える。一対の柱部１６ｂ、１６ｂは、空気ユニット装置１２のハウジング２０の高さ寸法にほぼ一致する高さ寸法を有する。天井部１６ｃは、一対の柱部１６ｂ、１６ｂの頂部からハウジング２０の頂面２０ｃに沿ってハウジング２０から遠ざかる方向へ、基部１６ａに平行に張出可能である。ハウジング２０の高さ寸法は約２ｍであり、これにより、後述するブース室の高さは約２ｍに設定される。
【００３６】
図示の例では、その図３（ａ）に明確に示されているように、天井部１６ｃは、一対の横フレーム部材１６ｃ１、１６ｃ２及び一対の側方フレーム部材１６ｃ３、１６ｃ３で構成されており、該一対の側方フレーム部材１６ｃ３、１６ｃ３は、一方の横フレーム部材１６ｃ１が位置する一端で対応する柱部１６ｂにそれぞれ枢軸２８を介して枢着されている。
【００３７】
各柱部１６ｂ、１６ｂと、天井部１６ｃの対応する側方フレーム部材１６ｃ３との間には、両者の直角関係を保持するための補強リンク３０が設けられている。各補強リンク３０は、互いに枢軸３０ａを介して一端を枢着されたリンク部材３０ｂ、３０ｃを備え、各リンク部材３０ｂ、３０ｃの他端が枢軸３０ａに平行な各枢軸３０ｄ、３０ｅを介して対応する柱部１６ｂ及び側方フレーム部材１６ｃ３のそれぞれに枢着されている。この補強リンク３０は、従来よく知られているように、側方フレーム部材１６ｃ３に関して天井部１６ｃが直角に支持される使用位置で、両リンク部材３０ｂ、３０ｃは一直線に保持される。これにより、天井部１６ｃが確実にその使用位置に保持される。また、補強リンク３０を枢軸３０ａの回りに回動させて折り畳むことにより、図３（ｂ）に示すように、補強リンク３０を含むフレーム組立体１６を折り畳み姿勢に保持することができる。
【００３８】
フレーム組立体１６は、例えばアルミニゥムのような金属、硬質樹脂材からなるL型やH型あるいはパイプ状の種々の長尺部材を接着剤、溶接手法またはボルトナットを含むジョイント手段等の接続手段を用いて組み立てることにより、構成することができる。
【００３９】
天井部１６ｃを柱部１６ｂに直角に保持したフレーム組立体１６の展開状態で示す図１を再び参照するに、図示の例では、包囲体１４は、天井部１６ｃに沿って該天井部の矩形平面を閉鎖する天井面部１４ａと、周壁面部１４ｂ、１４ｂ、１４ｃとから成る。一対の側方周壁面部１４ｂ、１４ｂは、天井面部１４ａの各側方フレーム部材１６ｃ３、１６ｃ３に沿った縁部から床１８ａに向けて垂れ下がる膜体で構成されている。他方、周壁面部１４ｃは、天井面部１４ａの各横フレーム部材１６ｃ１、１６ｃ２に沿った縁部のうち、天井部１６ｃの張出端側に位置する横フレーム部材１６ｃ２に沿った縁部から床１８ａに向けて垂れ下がる膜体で構成されている。一対の周壁面部を構成する膜体１４ｂ、１４ｂの下縁は、床１８ａからわずかに間隔をおいて該床に近接する。これに対し、天井部１６ｃの張出端側に配置された膜体１４ｃの下縁は、該下縁下に後述する通気口３１を形成すべく床１８ａから所定の間隔をおくべく前記膜体１４ｂ、１４ｂの下縁よりも上方位置にある。
【００４０】
フレーム組立体１６の一対の柱部１６ｂ、１６ｂ間には、包囲体１４を構成する膜体は配置されていない。これにより、包囲体１４の周壁面部における一対の柱部１６ｂ、１６ｂと、天井部１６ｃの柱部側に位置する一方の横フレーム部材１６ｃ１との間に対応する部分には、空気ユニット装置１２のいずれか一方の直立面２０ｄ又は２０ｅによって閉鎖される開口部３２が形成される。
【００４１】
前記包囲体１４すなわち各膜体１４ａ、１４ｂ、１４ｂ、１４ｃは、例えばビニールのような透明な可撓性の膜材からなる。これら膜体１４ａ、１４ｂ、１４ｂ、１４ｃの隣接する縁部は、図示しないがチャックや面ファスナのような解除可能な連結手段を用いて分離可能に結合することができる。
【００４２】
また、膜体１４ａ、１４ｂ、１４ｂ、１４ｃは、図４又は図５に示すように、それぞれが分離した状態で、フレーム組立体１６に巻取可能とすることが望ましい。
【００４３】
図４に示す例では、包囲体１４の天井面部を構成する天井膜体１４ａは、フレーム組立体１６の天井部１６ｃの張出端側の横フレーム部材１６ｃ２に設けられた帯部材３４で縛り付けることにより、横フレーム部材１６ｃ２に巻取状態で保持されている。また、包囲体１４の先端周壁面部を構成する先端膜体１４ｃも、同様に帯部材３４により横フレーム部材１６ｃ２に巻取状態で保持されている。一対の側方周壁面部を構成する一対の側方膜体１４ｂ、１４ｂは、同様に帯部材３４により、天井部１６ｃの対応する側方フレーム部材１６ｃ３、１６ｃ３に巻取状態で保持されている。
【００４４】
図５に示す例では、天井膜体１４ａは、帯部材３４により、フレーム組立体１６の天井部１６ｃの張出端側の横フレーム部材１６ｃ２に代えて、天井部１６ｃの基端側に位置する横フレーム部材１６ｃ１に巻取状態で保持されている。その他の膜体１４ｂ、１４ｂ、１４ｃについては、図６に示した例と同様である。
【００４５】
各膜体１４ａ、１４ｂ、１４ｂ、１４ｃを巻取状態で保持する手段として、帯部材３４のような締結手段に代えて、面ファスナやその他の締結手段を用いることができる。面ファスナを用いる場合、各膜体１４ａ、１４ｂ、１４ｂ、１４ｃの一方の面に多数のフック部が設けられた第１の係合面を膜体の上下方向に帯状に配置される。また各膜体１４ａ、１４ｂ、１４ｂ、１４ｃの他方の面に、前記フック部に解除可能に係合する多数のループ部が設けられた第２の係合面が第１の係合面に対応して形成される。各膜体１４ａ、１４ｂ、１４ｂ、１４ｃを巻き上げた状態で前記面ファスナの対応する両係合面を押し付けることにより、その巻き上げ状態を保持することができる。
【００４６】
図６はフレーム組立体１６に、その柱部１６ｂから張り出す天井部１６ｃの張出端、すなわち天井部１６ｃの柱部１６ｂから見て遠位端を支持する一対の補強脚３６を設けた例を示す。各補強脚３６は、枢軸３６ａを介して天井部１６ｃの張出端の隅部に一端が枢着された上方脚部材３６ｂと、該上方脚部材の他端に枢軸３６ｃを介して一端が枢着された下方脚部材３６ｄとを備え、枢軸３６ｃを介して連結された両脚部材３６ｂ、３６ｄの連結長さは、天井部１６ｃをほぼ水平に保持するに必要な長さに設定されている。
【００４７】
各補強脚３６は、補強リンク３０におけると同様な折り畳み脚であり、天井部１６ｃをほぼ水平に保持する使用位置で一直線に保持され、枢軸３６ｃの回りに回動させて折り畳むことにより、図６（ｂ）に示すように、折り畳み可能である。
【００４８】
図７（ａ）は、補強脚３６が設けられたフレーム組立体１６に前記したと同様な膜体１４ａ、１４ｂ、１４ｂ、１４ｃからなる包囲体１４を設置した例を示す。図７（ｂ）に示す例では、膜体１４ａ、１４ｃは、図５に示したと同様に、帯部材３４により、フレーム組立体１６の天井部１６ｃの基端側に位置する横フレーム部材１６ｃ１及び張出端側に位置する１６ｃ２にそれぞれ巻取状態で保持されている。他方、一対の側方膜体１４ｂ、１４ｂは、帯部材３４により、天井部１６ｃの側方フレーム部材１６ｃ３に代えて一対の柱部１６ｂ、１６ｂにそれぞれ巻取状態で保持されている。
【００４９】
図８（ａ）は膜体１４ｃを天井部１６ｃの張出端側すなわち遠位端側の横フレーム部材１６ｃ２に設けることに代えて、一対の補強脚３６の下方脚部材３６ｄ間に設けた例を示す。この場合、前記した通気口３１は、膜体１４ｃの上縁と横フレーム部材１６ｃ２との間に形成され、また図８（ｂ）に示すように、膜体１４ｃは、帯部材３４により、一方の下方脚部材３６ｄに巻取状態で保持可能である。
【００５０】
クリーンブース１０を後述する陰圧ブースとして使用する場合、床１８ａ面の病原性微生物のブース内への吸込を効果的に防止する上で、図８（ａ）に示される膜体１４ｃの下縁を床１８ａ面に接して配置することが望ましい。
【００５１】
図１及び図２は、包囲体１４が設けられたフレーム組立体１６を空気ユニット装置１２の吹出開口２６ａの側に設置することにより、包囲体１４内が陽圧ブース室として機能する例を示す。この場合、フレーム組立体１６は、その一対の柱部１６ｂ、１６ｂ及び天井部１６ｃの基端側に位置する横フレーム部材１６ｃ１が、空気ユニット装置１２のハウジング２０の吹出開口２６ａが設けられた一方の直立面２０ｄの縁部に接するように、配置される。これにより、包囲体１４の前記周壁面部の開口部３２がハウジング２０の直立面２０ｄにより閉鎖され、包囲体１４は、直立面２０ｄと共同してブース室を形成する。フレーム組立体１６と空気ユニット装置１２とは、ボルトナットあるいは面ファスナのような取り外し可能な結合手段により、連結することが望ましく、両者間にはシール部材を適宜配置することができる。
【００５２】
空気ユニット装置１２の作動により、フィルタ２２（２２ａ、２２ｂ）で浄化された加圧空気が吹出開口２６ａから前記ブース室に供給されると、加圧空気流は通気口３１を経て前記ブース室から室内１８へ放出される。この場合、空気ユニット装置１２には、各膜体１４ａ、１４ｂ、１４ｂ、１４ｃ間の隙間からのリーク量をも考慮して、前記ブース室内に適正な陽圧を維持するに必要な送風量が設定される。
【００５３】
また、一対の側方膜体１４ｂ、１４ｂの下縁と床１８ａとの密着性を高めるために、該膜体に必要に応じて錘を付加することができる。
【００５４】
図９は、包囲体１４が設けられたフレーム組立体１６を空気ユニット装置１２の吸入開口２６ｂの側に設置することにより、包囲体１４内が陰圧ブース室として機能する例を示す。
【００５５】
図９に示す例では、包囲体１４が設けられたフレーム組立体１６は、図８２に示された姿勢から空気ユニット装置１２に関して面対称となるように姿勢を反転される。これにより、フレーム組立体１６は、その一対の柱部１６ｂ、１６ｂ及び天井部１６ｃの基端側に位置する横フレーム部材１６ｃ１（図１参照）が、空気ユニット装置１２の吸入開口２６ｂが設けられた他方の直立面２０ｅの縁部に接するように、配置される。これにより、包囲体１４の前記周壁面部の開口部３２がハウジング２０の直立面２０ｅにより閉鎖され、包囲体１４は、他方の直立面２０ｅと共同してブース室を形成する。フレーム組立体１６と空気ユニット装置１２との接続関係は、図１及び２に沿って説明したと同様である。
【００５６】
図９の例では、空気ユニット装置１２の作動により、包囲体１４の通気口３１からブース室内に吸引された室内１８内の空気は、フィルタ２２（２２ａ、２２ｂ）で浄化された後、吹出開口２６ａから室内１８に放出される。したがって、前記したように、ブース室内は陰圧ブースとして機能する。
【００５７】
図１０に示すように、それぞれに包囲体１４が設けられた一対のフレーム組立体１６を１台の空気ユニット装置１２の両面２０ｄ、２０ｅに予め設置しておくことができる。包囲体１４が設けられた一方のフレーム組立体１６の展開によって陽圧及び陰圧のいずれか一方のブース室が形成されているとき、一般的には、不使用の他方のフレーム組立体１６のスペースの占有の削減のために、この他方のフレーム組立体は折り畳まれる。また、この折り畳まれたフレーム組立体１６に設けられた膜体１４ａ、１４ｂ、１４ｂ、１４ｃは、それぞれ巻取状態におかれる。この巻取により、折り畳まれたフレーム組立体１６の包囲体１４が空気ユニット装置１２の吹出開口２６ａ又は吸入開口２６ｂを塞ぐことによって生じる空気ユニット装置１２の送風効率の低下が防止される。
【００５８】
図１１は、それぞれに包囲体１４が設けられた一対のフレーム組立体１６を１台の空気ユニット装置１２の両面２０ｄ、２０ｅに予め設置した例での使用例を示す。両フレーム組立体１６は折り畳まれ、またそれぞれのフレーム組立体１６に設けられた膜体１４ａ、１４ｂ、１４ｂ、１４ｃが巻き取った状態で保持される。この状態で空気ユニット装置１２が運転されると、該空気ユニット装置は室内１８の浄化装置として機能し、該室内の浮遊微生物を濾過する。例えば空気ユニット装置１２の送風能力が３０ｍ３／分であると、床面積６０ｍ３、天井高さ２ｍの容積を有する診療のための室（１８）であれば、空気ユニット装置１２のわずか２分の運転によって室内１８の浮遊微生物を除去できる。
【００５９】
図１２は、陽圧ブースの使用例を示す。患者３８は、例えば膜体１４ｃをその下縁からたくし上げて前記陽圧ブース内に出入りすることができ、該陽圧ブース内で椅子４０に座っている。医師４２は、前記ブース外で椅子４４に座り、包囲体１４の膜体１４ｃを隔てて患者３８に対面して該患者に診療を施す。医師４２は、膜体１４ｃの下縁から患者３８向けて前記ブース内に手を差し入れることができるが、該下縁が診療の妨げになる場合、必要に応じて膜体１４ｃを下縁から部分的に巻き上げることができる。このような使用態様は、患者３８を浄化された加圧空気が供給される陽圧ブース内に収容できるので、白血病や免疫不全症候群を患っている患者３８の保護に有効である。医師４２は、必要に応じてマスクを装着することができる。
【００６０】
図１２に示す陽圧ブースで、該ブース内に医師４２を収容し、膜体１４ｃを隔ててブース外の感染が疑われる患者３８を診療することができる。この場合、患者３８から排出されるエアロゾル粒子を医師４２が吸引するリスクを低減することができる。
【００６１】
図１３は、陰圧ブースの使用例を示す。患者３８は前記陰圧ブース内で椅子４０に座っている。医師４２は、前記ブース外で椅子４４に座り、包囲体１４の膜体１４ｃを隔てて患者３８に対面して該患者に診療を施す。このような使用態様では、空気感染を引き起こすおそれのある患者３８から咳やくしゃみでエアロゾル粒子が排出されても、これらの粒子は空気ユニット装置１２に吸引されてそのフィルタ２２（２２ａ、２２ｂ）で捕獲される。したがって、このエアロゾル粒子が室内１８に放出されることはない。また、医師４２は、患者３８よりも空気流の上流側で前記ブース外に位置し、患者３８と医師４２との間に膜体１４ｃが介在する。この膜体１４ｃは、患者３８が医師４２に向けて咳やくしゃみをしても、この咳やくしゃみに伴うエアロゾルの飛散を遮断することにより、エアロゾルが医師４２の口元に到達することを防止する。したがって、前記ブース外に位置する医師４２を確実に感染症から保護することができる。このエアロゾルの遮断効果を高める上で、膜体１４ｃの下縁を患者３８の口元よりも下方に位置させることが好ましい。
【００６２】
図１４及び１５は、それぞれ患者３８のための担架式ベッド４６を収容する陰圧ブースの例を示す。
【００６３】
図１４（ａ）及び１４（ｂ）に示す例では、前記した空気ユニット装置１２におけると同様に、一方の直立面２０ｄｅの下部に吸入開口２６ｂが形成され、他方の直立面２０ｅｄの上部に吹出開口２６ａが設けられた空気ユニット装置１２が用いられている。また、補強脚３６が設けられたフレーム組立体１６は、吸入開口２６ｂの側で空気ユニット装置１２に組み付けられており、包囲体１４の膜体１４ｃは、その下縁が床１８ａ面に接して配置されている。患者３８及び医師４２は、膜体１４ｃが巻き取られた状態で前記ブース室に出入りすることができる。
【００６４】
この例では、図１４（ｂ）に矢印で示されているように、膜体１４ｃの上方に形成された通気口３１からの吸入空気流が下降流となって直立面２０ｄｅの下部に形成された吸入開口２６ｂに向かう。したがって、医師４２は、患者３８の頭部３８ａよりも空気流の上流側に位置することにより、感染リスクを回避して患者３８に必要な処置を施すことができる。また、この例では、吸入開口２６ｂに対向する包囲体１４の出入り口の下部は、膜体１４ｃで閉鎖されている。そのため、包囲体１４の外で、出入り口近傍にある床１８ａ面上の塵埃や病原性微粒子が前記ブース内に吸引することが確実に防止される。
【００６５】
図１５に示す例は、空気ユニット装置１２の吹出開口２６ａ及び吸入開口２６ｂがハウジング２０の上部に対向して設けられている点を除き、図１４の例と同一である。
【００６６】
すなわち、図１５（ｂ）に明確に示されているように、空気ユニット装置１２の吹出開口２６ａ及び吸入開口２６ｂは、そのハウジング２０の各直立面２０ｄ及び２０ｅのそれぞれの上部に、互いに対向して配置されている。主フィルタ２２ａ及び補助フィルタ２２ｂは、ハウジング２０内で相互に間隔をおいて対応する吹出開口２６ａ及び吸入開口２６ｂにそれぞれ配置されている。両フィルタ２２ａ、２２ｂ間の空気通路には、吸入開口２６ｂから吹出開口２６ａへ向けての空気流を生成すべく、送風源２４が配置されている。
【００６７】
図１５（ｂ）に示されているように、空気ユニット装置１２の吸入開口２６ｂは前記陰圧ブースの上部で包囲体１４の通気口３１に対向する。そのため、通気口３１から前記ブース内に吸引された空気はほぼ水平な空気流として吸入開口２６ｂに吸引される。そのため、前記ブース内で図１４（ｂ）に示したような下降流が形成されないことから、前記ブース内で床１８ａ上にある塵埃や病原性微生物が前記空気流によって床１８ａから前記ブース内に舞い上がることを防止することができる。
【００６８】
以下では、包囲体１４が設けられたフレーム組立体１６に矩形フレーム体を用い、該矩形フレーム体を空気ユニット装置１２に関して移動させることにより、陰圧ブース及び陽圧ブースを選択的に形成できる例を示す。
【００６９】
図１６に示すクリーンブース１０は、図１及び２に示したと同様な空気ユニット装置１２を含む。空気ユニット装置１２のハウジング２０の両側面２０ｂ、２０ｂの底部に沿って、フレーム組立体１６の一対の基部１６ａが配置されている。各基部１６ａの中央部からハウジング２０の対応する側面２０ｂの中央部を頂面２０ｃに向けて立ち上がる柱部１６ｂが形成されている。一対の柱部１６ｂ、１６ｂには、図１７に示すように、ハウジング２０の頂面２０ｃに沿って配置された天板４８が支持されている。
【００７０】
天板４８の両側には、図１７に明確に示されているように、コの字状の横断面形状を有する形鋼からなる一対のレール５０が開口５０ａを上方へ向けて固定されている。レール５０は、空気ユニット装置１２のほぼ一対の直立面２０ｄ、２０ｅ間に伸びる。各レール５０内の両端近傍には、図１８に示すように、後述する矩形フレーム体をレール５０の伸張方向へ滑動可能に案内するための下方ロール５２ａと、上方ロール５２ｂとが、相互に上下方向へ間隔をおいてレール５０に支持されている。上方ロール５２ｂは、相互に回転軸線の方向に間隔をおきかつ対をなすようにそれぞれの外端側で片持ち支持されている。
【００７１】
矩形フレーム体１６は、一対の側方フレーム部材１６ｃ３、１６ｃ３及び一対の横フレーム部材１６ｃ１、１６ｃ２からなる。一対の横フレーム部材１６ｃ１、１６ｃ２は、図1に示した天井部１６ｃを構成するそれらと実質的な変わりはない。しかしながら、一対の側方フレーム部材１６ｃ３、１６ｃ３として、図１９に示すように、上下方向へ相互に間隔をおいて平行に形成される下方フランジ５４ａ、上方フランジ５４ｂ及び両フランジ５４ａ、５４ｂを連結するウエブ５４ｃとを備えるＩ形鋼から成る。
【００７２】
各側方フレーム部材１６ｃ３は、図１７に示されているように、ハウジング２の両直立面２０ｄ、２０ｅに直角な方向へそれぞれ伸張可能なように、対応するレール５０に組み込まれている。各側方フレーム部材１６ｃ３の下方フランジ５４ａは下方ロール５２ａ上に載り、両フランジ５４ａ、５４ｂ間で、一対の上方ロール５２ｂ、５２ｂがウエブ５４ｃの両側に位置するように、各側方フレーム部材１６ｃ３が対応するレール５０に嵌合されている。また、一対の横フレーム部材１６ｃ１、１６ｃ２は、互いに平行な一対の側方フレーム部材１６ｃ３、１６ｃ３の端部に連結され、これにより、図１６に示すような矩形フレーム体１６が構成されている。
【００７３】
矩形フレーム体１６は、レール５０の案内作用により、図１６に実線で示されている、空気ユニット装置１２の吸入開口２６ｂ側への第１の張出位置と、破線で示されている、空気ユニット装置１２の吹出開口２６ａ側への第２の張出位置との間で移動可能である。一対の側方フレーム部材１６ｃ３、１６ｃ３の端部は一対の横フレーム部材１６ｃ１、１６ｃ２により連結されているので、該各横フレーム部材は、矩形フレーム体１６がレール５０から脱落することを防止するストッパとして機能する。
【００７４】
矩形フレーム体１６の各フレーム部材１６ｃ１、１６ｃ２、１６ｃ３、１６ｃ３には、対応する各フレーム部材長の幅寸法を有する前記したと同様な膜体１４ａ、１４ｂ、１４ｂ、１４ｃが吊り下げられており、図１６には、それら膜体１４ａ、１４ｂ、１４ｂ、１４ｃが巻き上げられた状態で示されている。図１６には図面の簡素化のために、帯部材３４が省略されている。なお、矩形フレーム組立体１６の各フレーム部材１６ｃ１、１６ｃ２、１６ｃ３、１６ｃ３の４辺で囲まれたクリーンブース１０の天井部に相当する矩形部分は膜体（１４ａ）で常時覆われている。
【００７５】
矩形フレーム体１６が図１６に実線で示す第１の張出位置にあるとき、空気ユニット装置１２から見て近位端側に位置する横フレーム部材１６ｃ１の膜体１４ａを除く膜体１４ｂ、１４ｂ、１４ｃが巻き上げを解かれ、下方に垂らされる。これにより、空気ユニット装置１２の吹出開口２６ａの側に、図１に示したと同様な陽圧ブースが構成される。このとき膜体１４ａが巻き上げ状態に保持されることから、該膜体が吹出開口２６ａを閉鎖することはなく、また該吹出開口２６ａからの送風に抵抗となることはないので、膜体１４ａによる送風効率の低下が生じることはない。
【００７６】
矩形フレーム体１６を図１６に仮想線で示す第２の張出位置に移動させた後、垂らされていた膜体１４ｃを巻き上げ、巻き上げられていた膜体１４ａを垂らすことにより、空気ユニット装置１２の吸入開口２６ｂの側に、図９に示したと同様な陰圧ブースを構成することができる。
【００７７】
図１６に示したクリーンブース１０によれば、前記した矩形フレーム体１６の移動及び一部の膜体１４ａ、１４ｃの巻き上げ、巻き下ろし作用によって、陰圧ブース及び陽圧ブースの切り替えが可能となる。
【００７８】
レール５０を空気ユニット装置１２のハウジング２０の頂面２０ｃに直接固定することにより、天板４８、一対の基部１６ａ、１６ａ及び一対の柱部１６ｂ、１６ｂを不要とすることができる。しかしながら、これらを用いることにより、前記フレーム組立体と前記空気ユニット装置とを結合することなく相互に分離しておくことができるので、前記天板、基部及び柱部を用いることが、クリーンブースの搬送及びメンテナンス上、有利である。
【００７９】
図２０は、矩形フレーム体１６を空気ユニット装置１２のハウジング２０上で垂直軸の回りに回動可能に支持した例を示す。この例では、矩形フレーム体１６の側方フレーム部材１６ｃ３、１６ｃ３として、図１９に示したようなI形鋼を用いる必要はなく、図１に示したと同様な横フレーム部材１６ｃ１、１６ｃ２及び側方フレーム部材１６ｃ３、１６ｃ３で矩形フレーム体１６を構成することができる。
【００８０】
図２０（ａ）及び（ｂ）に示すように、空気ユニット装置１２のハウジング２０の両側面２０ｂ、２０ｂの底部に沿って、一対の基部１６ａが配置されている。各基部１６ａの中央部からハウジング２０の対応する側面２０ｂの中央部を頂面２０ｃに向けて立ち上がる柱部１６ｂが形成されている。一対の柱部１６ｂ、１６ｂには、図１７に示したと同様な天板４８がハウジング２０の頂面２０ｃ上で支持されている。
【００８１】
天板４８上には、垂直な枢軸５６により、回転板５８が回転可能に支持されている。この回転板５８に、前記したと同様な膜体１４ａ、１４ｂ、１４ｂ、１４ｃが設けられた矩形フレーム体１６の例えば横フレーム部材１６ｃ１が固定されている。
【００８２】
図２０（ｂ）に実線で示す第１の張出位置に矩形フレーム体１６があるとき、横フレーム部材１６ｃ１の膜体１４ａは常時巻き上げを解いて天井面を構成し、膜体１４ａを除く膜体１４ｂ、１４ｂ、１４ｃが巻き上げを解かれ、下方に垂らされる。これにより、空気ユニット装置１２の吹出開口２６ａの側に、図１に示したと同様な陽圧ブースが構成される。また、例えば膜体１４ａは常時巻き上げを解いて天井面を構成し、膜体１４ｂ、１４ｂ、１４ｃを巻き上げた状態で、図２０（ｂ）に仮想線で示す第２の張出位置に矩形フレーム体１６を垂直な枢軸５６の回りに回転させることができる。その後、膜体１４ｂ、１４ｂ、１４ｃを垂らした状態にすれば、空気ユニット装置１２の吸入開口２６ｂの側に、図９に示したと同様な陰圧ブースを構成することができる。
【００８３】
このように、回転式の矩形フレーム体１６を用いることにより、単に矩形フレーム体１６を回転操作することによって、陰圧ブース及び陽圧ブースの切り替えが可能となる。
【００８４】
回転板５８を用いることなく、枢軸５６に矩形フレーム体１６を直接固定することができるが、矩形フレーム体１６の安定した回転運動を得る上で、回転板５８を用いることが望ましい。また、天板４８等を用いずに枢軸５６を空気ユニット装置１２のハウジング２０の頂面２０ｃに直接支持することができるが、前記した例におけると同様に、クリーンブースの搬送及びメンテナンス上の利点を確保するために、天板４８を用いることが望ましい。また、回転式の矩形フレーム体１６の場合、空気ユニット装置１２から見て近位端側である横フレーム部材１６ｃ１の膜体１４ａを不要とすることができる。
【００８５】
本発明に係るクリーンブース１０によれば、前記したように、陰圧源及び陽圧源を個別に設けることなく単一の空気ユニット装置を利用して陰圧ブース及び陽圧ブースを構成することができる。
【産業上の利用可能性】
【００８６】
本発明は、上記実施例に限定されず、その趣旨を逸脱しない限り、種々に変更することができ、また、陰圧ブース及び陽圧ブースを前記した使用例に限られず、種々の用途に利用することができる。
【符号の説明】
【００８７】
１０  クリーンブース
１２  空気ユニット装置
１４（１４ａ、１４ｂ、１４ｂ、１４ｃ）  包囲体（膜体）
１６  フレーム組立体（矩形フレーム体）
２０（２０ａ、２０ｂ、２０ｃ、２０ｄ）  空気ユニット装置のハウジング
２２（２２ａ、２２ｂ）  フィルタ
２４  送風源
２６ａ  吹出開口
２６ｂ  吸入開口
２８  枢軸
３０  補強リンク
３２  周壁の開口部
３６  補強脚
３８  患者
４２  医師
４８  天板
５０  レール
５６  垂直な枢軸
【図１】
2010255902.tif 000003
【図２】
2010255902.tif 000004
【図３】
2010255902.tif 000005
【図４】
2010255902.tif 000006
【図５】
2010255902.tif 000007
【図６】
2010255902.tif 000008
【図７】
2010255902.tif 000009
【図８】
2010255902.tif 000010
【図９】
2010255902.tif 000011
【図１０】
2010255902.tif 000012
【図１１】
2010255902.tif 000013
【図１２】
2010255902.tif 000014
【図１３】
2010255902.tif 000015
【図１４】
2010255902.tif 000016
【図１５】
2010255902.tif 000017
【図１６】
2010255902.tif 000018
【図１７】
2010255902.tif 000019
【図１８】
2010255902.tif 000020
【図１９】
2010255902.tif 000021
【図２０】
2010255902.tif 000022